(57)【特許請求の範囲】
【請求項１】
先端に係合突部を有し基端に支軸を有するガードアームを、回転型の障子又は障子枠に取り付けられる中空のフレームに対し、前記支軸において進退可能かつ回動可能に装着すると共に、該ガードアームは後退する方向に付勢させること；ガードアームの係合突部は、障子枠又は回転型の障子に取り付けられるストライクの嵌め孔及びそれに連続する案内長孔から成る係合長孔にガードアームの作動時選択的に係合されるものであること；フレーム内にはガードアームを収納位置から作動位置に向け突出させるために、突片を有する作用部材を回動可能に枢支させること；前記作用部材にはそれを回動操作させるため障子又は障子枠の室内側に設けた操作手段に連係させてあること；ガードアームの支軸の後部には従動部材との間でクリック作用を呈する谷部及びその谷部に軸線方向に連なる逃げ部を有するカム片を該支軸と共に回動できるように設けること；従動部材はカム片と作用部材との間においてカム片に向け付勢させると共に、カム片の回転中心線とほぼ直角をなす方向に移動でき、かつ作用部材の回動により前後方向に関して傾動できるようにするためにフレームとの間に軸とその軸が嵌め込まれる長孔の組で成る枢着手段を備えたこと；及び、従動部材は、障子が最大限開放され、ガードアームの係合突部がストライクの案内長孔の終端に致ってそれ以上の移動ができなくなったとき、ガードアームの揺動に伴って回動するカム片の谷部にその一端を自動的かつクリック的に嵌め込み、障子を開放状態で保持できるようにし、また、従動部材の一端とカム片の谷部との嵌まり合いは作用部材の回動により従動部材の一端をカム片の逃げ部に移動させることにより解除できるようにしたことを特徴とする窓用ガードアーム装置。
【発明の詳細な説明】
【０００１】
【発明の属する技術分野】
この発明は、窓の障子を半開きとする目的で用いられる窓用ガードアーム装置に関する。この発明が適用される窓としては、その障子が蝶番や枢軸を備えた回転型のもの、すなわち、片開き窓、両開き窓、縦滑り出し窓、横滑り出し窓又はドレーキップ窓等を挙げることができる。
【０００２】
【従来の技術】
ガードアーム装置は、従来は来訪者の確認や郵便物の受渡し等のために出入口の扉用として用いるのが極く一般的で、回転型の窓に対し通気を目的として装着される窓用のガードアーム装置としては適切なものがなく、ほとんど実用化されていないのが実情である。
【０００３】
【発明が解決しようとする課題】
この発明の窓用ガードアーム装置は、装置の本体側を全体として扁平に形成し障子又は障子枠の框が比較的細いものであっても装備できるようにすること、並びに、通気のための障子の開放状態において障子が風であおられるようなことがあってもその開放角度位置を確実に保持できるようにする一方で、その開放保持状態から障子を閉ざすに際し、開放角度位置における障子のクリック的な拘束状態を操作手段で事前に解除するようにして小さな力でも障子を閉鎖することができるようにすることを目的として提案されたものである。
【０００４】
【課題を解決するための手段】
上記の目的を達成するため、この発明の窓用ガードアーム装置は、先端に係合突部を有し基端に支軸を有するガードアームを、回転型の障子又は障子枠に取り付けられる中空のフレームに対し、前記支軸において進退可能かつ回動可能に装着すると共に、該ガードアームは後退する方向に付勢させること；ガードアームの係合突部は、障子枠又は回転型の障子に取り付けられるストライクの嵌め孔及びそれに連続する案内長孔から成る係合長孔にガードアームの作動時選択的に係合されるものであること；フレーム内にはガードアームを収納位置から作動位置に向け突出させるために、突片を有する作用部材を回動可能に枢支させること；前記作用部材にはそれを回動操作させるため障子又は障子枠の室内側に設けた操作手段に連係させてあること；ガードアームの支軸の後部には従動部材との間でクリック作用を呈する谷部及びその谷部に軸線方向に連なる逃げ部を有するカム片を該支軸と共に回動できるように設けること；従動部材はカム片と作用部材との間においてカム片に向け付勢させると共に、カム片の回転中心線とほぼ直角をなす方向に移動でき、かつ作用部材の回動により前後方向に関して傾動できるようにするためにフレームとの間に軸とその軸が嵌め込まれる長孔の組で成る枢着手段を備えたこと；及び、従動部材は、障子が最大限開放され、ガードアームの係合突部がストライクの案内長孔の終端に致ってそれ以上の移動ができなくなったとき、ガードアームの揺動に伴って回動するカム片の谷部にその一端を自動的かつクリック的に嵌め込み、障子を開放状態で保持できるようにし、また、従動部材の一端とカム片の谷部との嵌まり合いは作用部材の回動により従動部材の一端をカム片の逃げ部に移動させることにより解除できるようにしたことを特徴とする。
【０００５】
【発明の実施の形態】
以下、図面に示す実施例に基いてこの発明について説明する。
図１、図２及び図５において、符号１０は回転型の障子、２０は障子１０の窓ガラス、３０は障子枠（窓）、４０は障子枠３０に取り付けられた緩衝材を兼ねるシール材をそれぞれ示している。
【０００６】
回転型の障子１０の開放側端面、すなわち開放側框の端面又は障子枠にフランジ部においてねじ９１等で取り付けられる箱状をなす細長い中空のフレーム１は、フロント板１１に開口１２を有し、ガードアーム装置の非作動時にはその開口１２を通じガードアーム３が収納される。
【０００７】
符号１３はフレーム１内に傾斜させて設けた仕切板で、前方のガードアーム収納部と後方の空間部とを区分している。その仕切り板１３の中央部分には後述の作用部材４を装着する為の逃がし孔１４が開口している。
【０００８】
ガードアーム３は細長い板状をなし、その先端に前方に向け固設された結合突部３１を有し、基端には後方に向け固設された支軸３２を有する。そして、該ガードアーム３はフレーム１に対し支軸３２において進退可能かつ回動可能に装着されている。
【０００９】
また、図１で符号１５はガードアーム３の支軸３２を進退可能かつ回動可能に支持するための断面がコ字状をなす支持板でフレーム１に対して固定してある。
【００１０】
なお、図示例のガードアーム３は、支軸３２と共にフレーム１に対し進退させる際に、前後方向に関し傾動することが許容されているが、ガードアーム（３）とと支軸（３２）を共に傾動させずに水平方向にまっすぐに進退させるようにすることもできる。
【００１１】
更に、前記のガードアーム３、は支軸３２に巻装された圧縮コイルばね等の付勢手段３３により後退する方向、すなわち図１で右方に付勢させてあり、図示例の圧縮コイルばね３３はその長さ方向については前記の支持板１５と支軸３２の中央部分に固設されたフランジ３４との間に挟持弾設させてある。
【００１２】
ガードアーム３の係合突部３１をガードアームの作動時に係合案内させるストライク２は、障子枠３０又は回転型の障子の所定位置に対し例えばフランジ部において固定されるものである。
【００１３】
この浅い箱形等の形状に形成されるストライク２の前面部には、図７及び図１０に明示するように、ガードアーム３における係合突部３１の先端のフランジ状の膨出部３１ａの径よりも大径の嵌め孔２１ａ及びこれに連設された幅狭の案内長孔２１ｂから成る係合長孔２１を備えている。
【００１４】
また、図１、図２及び図５に符号４で示す作用部材は、前記のガードアーム３をフレーム１内の収納位置から作動位置まで突出させるためのもので、例えば１枚の板材を平面がコ字状をなすように折り曲げて形成してあり、フレーム１に対しその後方の空間部において枢軸４５で回転可能に枢支させてある。
【００１５】
図示例の作用部材４は、平面形がコ字状の本体に対し、前方に突設した突片４１、一方の側板に上方に向け突設した対をなす押し片４２、４３及び一方の側板から後方に向け突設した連係尾片４４から成る。
【００１６】
そして、作用部材４にはそれをθの角度範囲（図１参照）で回動させるために、障子１０又は障子枠の室内側に設けた操作手段５が連係させてある。
【００１７】
図示例の操作手段５は、図５及び図６に明示するように、障子１０にねじ９３等で固定される基板５１、基板５１内をつまみ５３によって距離ｌの範囲を上下に摺動できるようにした操作板５２、及び、フレーム１の後部開口１６から突出させた前記作用部材４の連係尾片４４に可動な関係で係合させるために、操作板５２の背面に一体に突設した対を成す脚片５４、５４から成る。
【００１８】
前記の操作手段５は操作板５２を直線的に摺動させる形式のものであるが、別の操作手段として図示はしないが、一般の錠のサムターンのような回動形式のものを用いることもできる。この場合、サムターンの内端側は作用部材４に連係させ、外端側のつまみ部分は室内側に露出させることは言うまでもない。
【００１９】
本発明における上記したガードアーム３の支軸３２の後部には、図１、図２、図８及び図９に示すように、横断面が長円形その他非円形の接続軸部３２ａが形成してあり、その非円形軸部３２ａはカム片６の軸線方向における前方部に直径に沿うようにして設けた係合長孔６１に差し込んである。
【００２０】
そのカム片６は、軸線方向の後方部においてフレーム１の後板（背板）に一体に突設した軸部１７に回動可能に支承してあり、また、上述したコ字状の支持板１５の脚部で押さえられているので、同一位置で回動することが可能である。
【００２１】
しかしながら、カム片６は上述したように支軸３２の非円形軸部３２ａに対し係合長孔６１をもって連結してあるので、支軸３２の回転はそのまま該カム片６に伝えられる一方で、ガードアーム３の進退時における支軸３２の傾動はカム６において許容され、支軸３２は傾動した状態においてもその回転をカム片６に対して伝えることができる。
【００２２】
なお、図示はしないが、ガードアーム（３）と支軸（３２）を進退させる際に、傾動させずに水平方向にまっすぐに移動させるようにしたものにあっては、支軸（３２）の後部はカム片（６）に固定することができる。
【００２３】
カム片６は全体として円板状をなし、そのカム面である円柱面に後記の従動部材７との間でクリック作用を呈する例えばＶ字状をなす谷部６２を有し、また、その谷部６２に軸線方向において連なる逃げ部６３を有する。換言すれば、逃げ部６３はカム片６の円周方向における谷部６２付近において段部を形成している。
【００２４】
図示例のカム片６においては、軸線方向について谷部６２が前方に、逃げ部６３が後方に形成してあるが、後記の従動部材７の傾動方向を変えれば、谷部６２と逃げ部６３の前後の位置は逆にすることもできる。
【００２５】
細長い板状をなす従動部材７は、例えば長さ方向の両側辺に折り曲げられた側板７１、７１を有し、更に両側板７１、７１の間に本体部分から切り起されたばね受け７２（図１参照）を有している。
【００２６】
従動部材７のばね受け７２とフレーム１の後板（背板）から切り起こされたばね受け１８との間には圧縮コイルばね７３が弾設してあって、カム片６と上記作用部材４との間に可動に装着される従動部材７をその一端がカム片６のカム面に押し当てられるようにして付勢させている。
【００２７】
従動部材７の付勢手段７３は、圧縮コイルばねに限らず、ねじりばねや引張りコイルばね等他の形式のばねを用いてもよいことは言うまでもない。
【００２８】
また、従動部材７は、カム片６の回転中心線とほぼ直角をなす方向に移動でき、かつ、作用部材４の回動に伴ってその押し片４２、４３のいずれかが係合することにより前後方向（図１で左右方向）に関して傾動できるようにするために、フレーム１との間に軸８１とその軸８１が可動に嵌め込まれる長孔８２の組で成る枢着手段８を備えている。
【００２９】
従動部材７の他端（下端）が作用部材４の押し片４２又は４３で前方又は後方に向け押された時、従動部材７は前記の枢着手段８や仕切板１３を含むフレーム１の内壁等により所要の方向に向うように案内される。
【００３０】
図示例の枢着手段８は、フレーム１の両側板に固定されたピン状の軸８１、８１とそれら軸８１、８１を各別に嵌め込むための従動部材７の両側板７１、７１に穿設された長孔８２、８２とで構成されているが、各軸（８１）を従動部材７側に設け、また、各長孔（８２）をフレーム１側に設けても同様な作用を呈する枢着手段が構成される。
【００３１】
次に、図示例の窓用ガードアーム装置の全体としての作用について説明する。
【００３２】
図１及び図５は本装置の常態であるガードアームの非作動装置を示しており、ガードアーム３はフレーム１内の収納位置に納められている。また、その時従動部材７の一端はカム面の谷部６２以外の円柱面に押圧されていて該従動部材７は下位位置を占めている［図１及び図９（Ａ）参照］。
【００３３】
ここで、室内側の操作手段５のつまみ５３を手で下方へ変位させると、一対の脚片５４、５４で挟まれるようにして連係された作用部材４が図１で右回りに回動するので、作用部材４の突片４１は前方に向け突出し、ガードアーム３を付勢手段３３に抗して作動位置に向け進出させる。
【００３４】
このガードアーム３の作動状態では、図２及び図９（Ｂ）に示すようにその係合突部３１がストライク２の嵌め孔２１ａ内に嵌まり込み、また、その時、従動部材７はその他端（下端）が作用部材４の前方の押し片４３で後方へ押されて前傾するが、従動部材７の一端のカム片６における当接位置は前方に移動はするものの、その一端は引き続きカム面の谷部以外の円柱面に押圧される。
【００３５】
そこで、障子１０が開放されると、図１０に鎖線で示すようにガードアーム３はその係合突部３１がストライク２の案内長孔２１ｂで案内されることにより支軸３２を中心として揺動する一方で、ガードアーム３の長さに応じて障子１０の開放角度を制限する。
【００３６】
そして、この間に支軸３２の回動によってその後部のカム片６も共に回動し、図３及び図９（Ｃ）に示すように、カム片６の谷部６２に対し付勢手段７３で上方に向け付勢されている従動部材７の一端が嵌まり込む。
【００３７】
ここに、クリック作用が呈され、また、カム片６の谷部６２と従動部材７の一端との嵌まり合いが大きな抗力で支軸３２の回動、すなわちガードアーム３の戻り方向への揺動を抑制するのでかなりの強風で障子１０があおられても障子１０の通気のための開放角度位置は安定した状態で保持される。
【００３８】
ところで、この発明に係る装置では、図３及び図９（Ｃ）の障子１０の半開状態から障子１０の図示しない取手を引張って障子１０を閉めようとすると、かなりの深さで形成されるカム片６の谷部６２と従動部材７との嵌まり合いが逆に障子の閉鎖に対し抵抗力となって作用することになるので、障子１０を閉鎖するについて大きな力を要することになる。
【００３９】
そこで、本装置においては、図４及び図９（Ｄ）に示すように、事前に操作手段５のつまみ５３を手で当初の上方位置に戻してやる。すると、作用部材４が左回りに回動してその作用部材４の後方の押し片４２で従動部材７の他端（下端）が前方へ押され、該従動部材７が後傾することになる。
【００４０】
そして、その後傾に伴って、従動部材７の一端（上端）はカム片６の谷部６２との嵌まり合いの状態から該カム６２の軸線方向に滑動して後方の逃げ部６３と当接することになる。つまり、従動部材７の一端とカム片６の谷部６２の嵌まり合いが解除される。
【００４１】
ここで、障子１０の取手を引っ張って障子１０を閉めれば、従動部材７の一端は滑らかな局面をなす逃げ部６３においてカム片６に接しているので、障子１０は弱い力でも軽く引っ張ることがでる。
【００４２】
障子１０が完全に閉ざされれば、作用部材４の突片４１は既に後方位置に変位しているので、ガードアーム３はその付勢手段３３により支軸３２と共に後退し、その間にガードアーム３の係合突部３１はストライク２の嵌め孔２１ａにおいて抜け出し、もってガードアーム３は常態の収納位置に自動的に戻ることになる［図１及び図９（Ａ）参照］。
【００４３】
【発明の効果】
以上に説明したこの発明の窓用ガードアーム装置によれば、装置の本体側を構成する中空のフレームを全体として扁平に形成することができるので、障子又は障子枠の框が比較的細いものであってもその框内に装着することができる。
【００４４】
また、通気のための障子の開放状態において、障子が強風であおられるようなことがあっても、障子の開放角度は極めて安定した状態で保持できる。
【００４５】
更にまた、開放角度位置における障子の強固なクリック的な拘束状態は操作手段によって事前に解除できるようにして小さな力でも障子を楽に閉めることができる、等種々の効果を奏する。
【図面の簡単な説明】
【図１】この発明の窓用ガードアーム装置の実施例をガードアームの非作動状態で障子を閉鎖位置に置いて示す縦断側面図。
【図２】図１の装置をガードアームの作動状態で障子を閉鎖位置に置いて示す縦断側面図。
【図３】同じく図１の装置をガードアームの作動状態で障子を開放して示す縦断部分側面図。
【図４】同じく図１の装置において、ガードアームが非作動状態となるように操作手段を操作した後、障子を閉鎖させる過程の初期の段階を示した縦断部分側面図。
【図５】図１の状態におけるその平面図。
【図６】図１の装置から取り外した操作手段を示す図で（Ａ）は正面図、（Ｂ）は側面図である。
【図７】図１の装置から取り外したストライクを示す図で、（Ａ）は正面図、（Ｂ）は側面図である。
【図８】図１の装置から取り外したカム片の斜視図。
【図９】カム片と従動部材との関係を背面から見て示す説明図で、（Ａ）〜（Ｄ）は図１〜図４にそれぞれ対応させて表してある。なお、本図の（Ｃ）及び（Ｄ）において、図面を分り易くするために、従動部材の一端が実際に接触している面を実線で表し、接触していない側の面を鎖線で表した。
【図１０】ガードアームの作動状態におけるガードアームとストライクの係合態様を障子を開放させて示す説明図である。但し、この図においてフレーム及びガードアームは正面から見て表されており、ストライクは背面から見て表されている。
【符号の説明】
１０  障子
３０  障子枠
１  フレーム
２  ストライク
２１  係入長孔
２１ａ  嵌め孔
２１ｂ  案内長孔
３  ガードアーム
３１  係合突部
３２  支軸
４   作用部材
４１  突片
５  操作手段
６  カム片
６２  谷部
６３  逃げ部
７  従動部材
８  枢着手段
８１  軸
８２  長孔
【図１】
0004057689.tif 000002
【図２】
0004057689.tif 000003
【図３】
0004057689.tif 000004
【図４】
0004057689.tif 000005
【図５】
0004057689.tif 000006
【図６】
0004057689.tif 000007
【図７】
0004057689.tif 000008
【図８】
0004057689.tif 000009
【図９】
0004057689.tif 000010
【図１０】
0004057689.tif 000011